Podtech/llm-jp-corpus-v4-ja_patent huggingface dataset:
(57)【要約】【課題】脚があるためテーブル、床などに熱を伝えない、安定が良い。又桟型台座の為、金属を使用した台座は熱い物が置ける。必要に応じて取外し用ストッパー付樹脂マットを敷くと（突起ストッパーで簡単に安定よく設置）、滑らず運べる。物を把手を持って運ぶ、置く、盛ると多目的にキッチン、リビングにインテリア性の高い道具として活躍。一枚板状でないので曲線や直線を生かして多様な形、デザインをが出来る点が従来のトレーとは無類にちがう。【解決手段】桟型台座（１）に把手（２）バー（３）人工樹脂付脚（４）に、プラス取外し用、ストッパー付樹脂マット（５）はマットの突起ストッパー（６）で安定よく設置出来る。【選択図】  図１
2004195158.tif 000002
【特許請求の範囲】
【請求項１】
桟型台座（１）に把手（２）バー（３）人工樹脂付脚（４）取外し用ストッパー付人工樹脂マット（５）マットの突起ストッパー（６）で、構成されたトレー。
キッチン、リビングなど幅広い用途に使用できるトレーで有る。
【発明の詳細な説明】
【０００１】
【発明の属する技術分野】
この発明はステンレスなど金属を使用し、又取外ずし用、ストッパー付人工樹脂マットで、オードブルトレーにもインテリアトレーとしても、多目的に使用出来るトレーである。
【０００２】
【従来の技術】
従来、トレーは単に器（食器）を運ぶだけの為で、又脚付きは無い。
【０００３】
【発明が解決しようとする課題】
脚があるためテーブル、床などに、熱を伝えない、安定が良い。
桟型台座の為、特に金属を使用した台座は熱い物が置け、又その他の材質を用いても、形や汚れが目立たない、通気性が良い。
器（食器）などを運ぶ時に、取外し用ストッパー付人工樹脂マットを敷くと、滑らず安定よく運べる。
【０００４】
【課題を解決するための手段】
（イ）桟型台座（１）に、持ち運ぶ為の把手（２）、物が落ちないように安全用のバー（３）。
（ロ）安定良く置く為の人工樹脂付脚（４）は、テーブル、床のきず防止にもなる。
（ハ）必要に応じて、取外し用ストッパー付人工樹脂マット（５）を敷くと、器（食器）など滑らず安全に運べる、マットは突起ストッパー（６）で簡単かつ安定よく設置できる。
【０００５】
【発明の実施の形態】
食器類に限らず、使用する人が自由に桟型台座（１）に物を乗せて、把手（２）持って運ぶ、又は置く、盛ると、多目的に使用。
【０００６】
【実施例】
キッチン、リビングに限らず、あらゆる生活の場で使用出来る。
床の上でのサイドテーブルとしても重宝である。
【０００７】
【発明の効果】
従来とは違う新鮮なトレーして、幅広くインテリア性の高い道具として活躍。
一枚板状でないので、曲線や直線を生かして多様な形、デザインが出る点も従来のトレーとは無類にちがう。
グラス台としても通気性が有るので活躍する。
はらんや熊笹、レースペーパー、クロスなどを敷きオードブル皿など様々に使用出来る。
【図面の簡単な説明】
【図１】本考案の斜視図である。
【符号の説明】
１  桟型台座    ２  把手    ３  バー    ４  人工樹脂付脚
５  ストッパー付人工樹脂マット    ６  突起ストッパー
【図１】
2004195158.tif 000003
(57)【要約】【課題】慢性鼻炎疾患の人、インフルエンザ、花粉症等は、季節を問わずさまざまな症状を引き起こし、咳、鼻みず、つまり鼻液で呼吸困難を来すこともある。又、観劇やコンサートの席では鼻をかむ時の音、咳、咳払いもはばかられるものである。特に女性は、ティッシュで鼻をかむ度に化粧も直さねばならず煩わしいものである。症状が治るまで鼻みずは止まらずティッシュを多く浪費していた。【解決手段】本発明の挿入棒（１）は、通常サイズのティッシュペーパー（２）とは別に作成するもので、衛生面と鼻腔内を傷つけないように考慮した吸湿性の高い素材により、ビニール等の心棒は用いず、先端を巻紙式に稍細めに形成。鼻梁の長短に合わせて三段階のサイズとした挿入棒（１）をティッシュペーパー（２）の一角に固着。折り畳み個袋は携帯用、紙函には連続取り出しも出来る仕様とする。本発明を用いれば、鼻をかむ必要も無く、音も発せず静かに鼻腔の奥部まですっきりさせ呼吸も楽になり物事に集中出来る。【選択図】図１
2004195159.tif 000002
【特許請求の範囲】
【請求項１】
ａ．  挿入棒（１）はティッシュペーパー（２）の一角に固着（１）ティッシュペーパーに更に吸湿・水性の高い素材により、衛生面と鼻腔内を傷つけないよう考慮した鼻腔奥部まで鼻液を吸収する挿入棒。
ｂ．  挿入棒（１）においては、鼻梁に合わせ長短三段階、大・中・小のサイズとし、ビニール芯等は用いず巻紙式に又、先端は細めで丸みを持たせたものとする。収納方法として折り目（３）に沿って畳み（４）個袋に収納し携帯用に、紙函には重ねて（５）収納、連続して取り出せるもの又は、個々に取り出せる（５）二仕様とする。以上の構成からなる、化粧を崩さないティッシュペーパー併合の鼻腔奥部まで鼻液を吸収する挿入棒。
【発明の詳細な説明】
【０００１】
【発明の属する技術分野】
本発明は、風邪や花粉症等による鼻炎、鼻詰まり等いろ不快なおもいをすることがある。特に鼻風邪ともなると鼻液を拭き取るのにいとまが無い。女性は、その都度、化粧をなおしたり、鼻や周辺の皮膚がティッシュによる脱脂作用で肌荒れを起こしやすい。このような問題点を解決するための、ティッシュペーパーを応用した生活・生理用品である。
【０００２】
【従来の技術】
従来のティッシュペーパーにおいては、花粉症、インフルエンザ、慢性鼻炎疾患の人は、いつでも側にあって大変便利な物である。しかし、ポンポンと函から調子良く出てくるので遂、乱用・浪費することもある。
【０００３】
【発明が解決しようとする課題】
本発明は、材料を貴重なパルプの加工により成り立つもので、ティッシュペーパーと共に、挿入棒も大切な資源であり無駄は避けたい。鼻液をティッシュペーパーでかんでも未だ鼻の奥がすっきりせず残留感がのこる。つい２枚３枚とティッシュペーパーでもって鼻口のところで鼻をかむ習慣が身についてしまっている。
【０００４】
【課題を解決するための手段】
何度鼻をかんでも又鼻液がポトポト垂れて来ることもある。鼻をかんだ後でも残留感・息苦しさ・不快感が残る。これを取り去る為には、鼻腔の奥から鼻液を吸い出すことはできないものか、その点で紙質の親水性を取り入れ、挿入棒で鼻液を吸収することに応用したものである。
【０００５】
自然にやさしい素材をということで、本発明には、個袋のビニール包装の他は、芯にもビニールは用いず、巻き紙式挿入棒とする。鼻梁の長さに対応するため大・中・小又、長・中・短のサイズとする。
【０００６】
本発明において、使用は、幼児・小人は不可とするものであり、使用法は、挿入棒を鼻口から緩やかに螺旋状に回しながら鼻奥まで挿入する。二・三秒して取り除きティッシュ部分でくるみ廃棄する。観劇・コンサート等の席では、音も立てずに個袋から取り出し、鼻音も立てず、ティッシュで顔を覆い隠して鼻奥に挿入棒を挿入し直ちに取り除きティッシュでくるんでバッグ等へしまい込む。一連の作業が、静かに取りすまされる。呼吸もさわやかにできるし、化粧直しの必要も無くなる。
【０００７】
【発明の実施の形態】
発明の実施の形態を実施例にもとずき図面を参照して説明する。
図１において、本発明、化粧を崩さないティッシュペーパー併用の鼻腔奥部まで鼻液を吸収する挿入棒の挿入棒（１）をティッシュペーパー（２）の一角に固着（１）する。
【０００８】
携帯用個袋は１０枚単位で、１００枚単位・収納した紙函は連続して取り出せるもの・或いは、一枚ずつ取り出せる（５）方式を採用。
【０００９】
【発明の効果】
本発明は、以上説明したように構成されているので、以下に記載されるような効果を奏する。
【００１０】
挿入棒を用いて鼻腔の奥部の鼻液をしっかり吸収してしまうので、次に鼻をかむまで鼻液垂出の間を長く保つ。ティッシュペーパーのみを用いた場合とは大きく紙数の差を生ずる。
【００１１】
花粉症、鼻風邪、インフルエンザにかかった時は、発熱や咳特に、鼻みずが多く垂出する。従来は、手近にあるティッシュペーパーを連続してポンポンとひきだし惜しげも無く使っていた。然し、後から後から鼻液が垂出、残留感と不快感が残ったままである。本発明挿入棒を用いることで、呼吸が楽になり、頭の芯からすっきりし、仕事にも集中出来る。
【００１２】
公衆の集まるコンサート会場や、観劇の静寂のなかでの鼻かみ，鼻音は雑音となり興をそぐものである。この様な場合には、本発明の挿入棒を人に気づかれることなくひそかにも用いることができる。
【００１３】
最近は、アレルギー性の患者も多く、花粉症・アレルギー性鼻炎等季節に関係無く鼻炎を引き起こす人が多く、鼻水つまりは、鼻液も花粉症等には付きものである。
【００１４】
特に女性はティッシュペーパーをもって鼻かみを続けたら毎回化粧を直さねばならず、鼻周辺の皮膚をティッシュペーパーによる脱脂作用で皮脂を奪い肌荒れの原因を作る。本件、挿入棒を用いることでそのような問題点が解決され、個袋入りは携帯可能である。
【図面の簡単な説明】
【図１】固着した挿入棒及び併合のティッシュペーパーの平面図である。
【図２】固着した挿入棒及び併合ティッシュペーパーの折り畳んだ実施例を示す斜視図である。
【符号の説明】
１  個着した挿入棒本体
２  ティッシュペーパー
３  折り目
４  本体
５  紙函に重ねて収納する際の折り畳み状態を示す参考図
【図１】
2004195159.tif 000003
【図２】
2004195159.tif 000004
(57)【要約】【課題】部分塗布専用としての従来の固形毛染剤を全体塗布用としても兼用できる物に形態を変更する。【解決手段】従来の縦方向に細長い丸型タイプの毛染剤を、左右に幅を広げた横長型へと形を変え、容器本体上部にくし、またはブラシを装着する。【選択図】    図１
2004195168.tif 000002
【特許請求の範囲】
【請求項１】
固形毛染剤を平板な形で装填するための容器本体。
【請求項２】
容器本体上部の前面及び背面にブラシまたはくしを装着した装置
【請求項３】
固形毛染剤を平板な形に成形した形態
【発明の詳細な説明】
【０００１】発明の属する技術分野
この発明は従来より使用されている固形毛染剤を使用して、髪全体を短時間でむらなく染めるようにするための技術である。
【０００２】従来の技術
従来の固形毛染剤は、先に黒、または茶色に染色した毛髪の根元がのびて白くなった部分だけを隠すための部分塗り用としての使用方法しか想定されていなかった。そのために、形は縦方向に細長い丸型タイプだけしか製造されておらず、色も黒か茶色だけに限定されていた。
もっと広い範囲に使用したいという人にとって、細い丸型の毛染剤で塗布することは非常に時間がかかるうえ、塗りむらもできて、事実上不可能に近かった。また、もっと多様な色が欲しいという人も製造すらされていない現状ではあきらめるしかなかった。
【０００３】発明が解決しようとする課題
従来、部分塗布用としての使用しか想定されていなかった固形毛染剤を、塗りむらを防止しつつ、全体塗布用として使用可能なものに作りかえていくことを課題としている。
【０００４】発明が解決しようとする手段
従来の縦方向に細長い丸型タイプの毛染剤を、左右に幅を広げた横長タイプへと形を変えることにより毛髪への接着面積が拡大し、短時間で広範囲への塗布が可能となる。また、容器本体上部前面にくし、またはブラシを装着し、毛染剤を毛髪の流れに沿って塗布させると共に、毛染剤が地肌に付着することを防止する。容器本体上部背面には、前面に装着したくし、またはブラシより、少し丈の長いくし、またはブラシを装着し、塗布した毛染剤を後からかきあげながら塗りのばし、塗りむらを防止する。
【０００５】発明の実施の形態
発明の実施の形態を実施例に基づき、図面を参照して説明する。
（イ）１に示す実施例は、固形毛染剤装填容器の斜視図である。
容器の部分構成は、（１）を本体として、容器本体上部前面には（２）くし、またはブラシを装着し、背面には、前面に装着したくし、またはブラシより少し丈の長い（３）くし、またはブラシを装着する。
（ロ）２は断面図である。
容器本体の内側に、毛染剤を装填するための（４）ホルダーを取り付けて毛染剤を固定させる。
（５）はホルダーを上下させるための作動用ボタンである。指で上下させることによって、固形毛染剤を好みの高さに調節できる。
（６）は作動用ボタンを上下させるための溝である。
（７）は固形毛染剤
（ハ）図３は側面図である。
（ニ）図４は上面図である。
（ホ）図５はカバーを装着した側面図である。
（８）はカバー。
【０００６】発明の効果
本発明を、使用することにより、従来の製品と比較し、以下の利点と効果が得られる。
（イ）容器の形態を変えることにより、部分塗布用としてだけでなく、全体塗布用としての機能が付加され、使用目的が多様化される。また、固形毛髪剤は、毛髪に染料を染めつけて長期間同じ色に保つ毛染剤と異なり、洗髪すればすぐに洗い流せて元の色にかえり、毛髪を痛める事もないという特性を持っている。その特性を利点としてとらえれば、毎日でも自分の好みの色に変えられるという便利な物となる。
従来の根元に出てきた白髪を隠すためだけの黒か茶色だけという使用方法だけではなく、広くおしゃれ染めとして、個人の好みに合わせた多様な色調を楽しむことが可能となり、男女、年齢を問わず使用層が拡大されていく事が予想される。
【図１】
2004195168.tif 000003
【図２】
2004195168.tif 000004
【図３】
2004195168.tif 000005
【図４】
2004195168.tif 000006
【図５】
2004195168.tif 000007
【手続補正書】
【提出日】平成15年3月20日(2003.3.20)
【手続補正１】
【補正対象書類名】明細書
【補正対象項目名】図面の簡単な説明
【補正方法】追加
【補正の内容】
【図面の簡単な説明】
【図１】固形毛染剤装填容器の斜視図である
【図２】固形毛染剤を装填した時の断面図である
【図３】固形毛染剤を装填した時の側面図である
【図４】固形毛染剤を装填した時の上面図である
【図５】固形毛染剤装填容器にカバーを装着した側面図である
【符号の説明】
１  固形毛染剤装填容器本体
２  くし又はブラシ
３  （２）より少し丈の長いくし又はブラシ
４  ホルダー
５  ホルダー作動用ボタン
６  ホルダー作動用の溝
７  固形毛染剤
８  カバー
(57)【要約】【課題】ストローを用いて飲み物を飲む時に，吸うことの不慣れな乳幼児、吸う力の弱い人、介護を受けている人でも使えるストローを提供する。【解決手段】ストロー▲１▼の一部に、逆止弁の付いたポンプ▲２▼を設けたことを特徴とする。【選択図】図１
2004195162.tif 000002
【特許請求の範囲】
【請求項１】
ストローの一部にポンプとなる部分を設けたポンプ付ストロー。
【請求項２】
ストローの一部に着脱式のポンプを付けたポンプ付ストロー。
【発明の詳細な説明】
【０００１】
【発明の属する技術分野】
この発明はストローの一部にポンプを設けたポンプ付ストローに関するものである。
【０００２】
【従来の技術】
従来、ストローは飲み物を吸わなければ飲むことが出来なかった。
【０００３】
【発明が解決しようとする課題】
これは次のような欠点があった。
吸うことが上手ではない乳幼児、吸う力の弱い人、介護を受けている人などは、ストローを用いることが困難な事があった。
本発明は、以上のような欠点をなくすためになされたものである。
【０００４】
【課題を解決するための手段】
ストロー▲１▼の一部にポンプ▲２▼を設ける。
本発明は、以上の構成によりなるポンプ付ストローである。
ストローと一体となったポンプにより、飲み物を口の中へ流し込んであげればよい。
【０００５】
【発明の実施の形態】
以下、本発明の実施の形態について説明する。
ストロー▲１▼の一部に、逆止弁▲３▼の付いたポンプ▲２▼を設ける。本発明は以上のような構造でこれを使用するときは、このストローを飲み物の中にいれ、ポンプで吸い上げ、飲む人の口へ流し込むと良い。
【０００６】
【発明の効果】
ストローにポンプが付いているので、哺乳びん等からストローへ移行する乳幼児のストローへの慣れと練習になり、吸う力の弱い人、介護を受けている人なども、吸うことが上手にできなくても飲み物をストローを使って飲むことが出来る。
【図面の簡単な説明】
【図１】本発明の分解斜視図である。
【図２】本発明の正面図である。
【図３】本発明の断面図である。
【符号の説明】
▲１▼ストロー
▲２▼ポンプ
▲３▼逆止弁
【図１】
2004195162.tif 000003
【図２】
2004195162.tif 000004
【図３】
2004195162.tif 000005
(57)【要約】【課題】ＰＣＢ、ダイオキシン類、トリ・テトラクロロエチレンなどの有機塩素化合物の無毒化を確実に行うこと、及び残存物質が無害であること。【解決手段】ＰＣＢ、ダイオキシン類、トリ・テトラクロロエチレンなどの有機塩素化合物の脱塩素化を、常温常圧の水中下でアルミニウムと塩化水素を含む酸性液との酸化反応により行う方法。【特許請求の範囲】
【請求項１】
産業廃棄物の焼却により発生する有毒有機塩素化合物（ダイオキシン類）の脱塩素化を、常温常圧の水中下でアルミニウムと塩化水素を含む酸性液との酸化反応により行う方法。
【請求項２】
油脂の洗浄などにより不本意に地下水汚染を引き起こした有毒有機塩素化合物の脱塩素化を、常温常圧の水中下でアルミニウムと塩化水素を含む酸性液との酸化反応により行う方法。
【発明の詳細な説明】
【０００１】
【発明の属する分野】
本発明は、ダイオキシン類、トリ・テトラクロロエチレン等全ての有毒有機塩素化合物から塩素を離脱する方法に、常温常圧の水中下でアルミニウムと塩化水素を含む酸性液との酸化反応により行う方であり、環境汚染対策技術に属する。
【０００２】
【従来の技術】
従来の有機塩素化合物の脱塩素による汚染対策技術は、プラント処理では高温、高圧処理（特開平５−１９２６４８、特表平９−５０１８６３、特開平７−３２８５９６、特開平７−２６５４６１）が主流であり、現地処理では微生物分解処理（特表平９−５０８８５４、特開平９−２２５４５０、特開平９−２２５４５１、特開平１１−１６９８３９、特開平１１−２１６４５７）が主流となっている。
【０００３】
【発明が解決しようとする課題】
従来の高温・高圧処理は排気ガスの冷却による２次化合物の特定が難しい。
【０００４】
化学処理は使用する化学物質が強酸性（ＰＨ調整に塩酸｛強酸性で管理が難しい｝）であったり、有機物の化学反応の不確実性による２次化合物が特定できない。
【０００５】
また地下水を汚染しているトリ・テトラクロロエチレンなどの有機溶剤の現地処理では、減圧や揚水して有機化合物を大気中に蒸発させる方法が多く、大気中にそのまま有毒物質が放出し拡散され、大気汚染を引き起こしている可能性がある。
【０００６】
さらに微生物による分解は、対象土壌中に現存しない微生物を利用することから、自然環境の一義的な生態系の保全を犯している可能性が非常に高く、処理後の微生物の生体研究が成されていないなど、地盤中に危険汚染物質を残存させる可能性が高い。
【０００７】
本発明は、ダイオキシン類、トリ・テトラクロロエチレンなど、有機塩素化合物の脱塩素化に伴う不測の化合物の生成や生態系の破壊、反応中の危険性を排除することを目的とし、汚染範囲のみに限定した処理が可能となり、最終的な残存物質は中性無害であることから、長期にわたる環境の安全が確保される。
【０００８】
【課題を解決するための手段】
上記目的を達成するために、本発明は、ダイオキシン類、トリ・テトラクロロエチレンなど、有機塩素化合物の脱塩素化を、常温常圧の水中下でアルミニウムと塩化水素を含む酸性液との酸化反応により行う方法である。反応は溶解中および原液の有機塩素化合物に対して、常温常圧の水中下でアルミニウムと塩化水素を含む酸性液と反応させ、アルミニウムが塩素と反応する瞬間の金属表面の活性化により有機塩素化合物の塩素を吸着させることにより脱塩素させ、その反応時に発生する水素または水の水素を有機塩素化合物の炭素の腕に付加するものである。特に焼却灰に含まれるダイオキシンは灰などに付着している場合が多い。従って灰などによる接触阻害を起こしやすく、触媒や反応金属がダイオキシンに接触した瞬間に反応を起こす必要があり、触媒そのものが常に活性化していることや、脱塩素時に直ちに水素化が行われる必要がある。従って焼却灰などに含まれるダイオキシンの分解は化学的な分解能だけでは不可能であり。物理的な接触確率を高めることが必要である。本発明はこの化学・物理的能力に優れた分解方法である。この反応によりアルキル基と塩化アルミニウムとに分解する。塩化水素を含む酸性液はアルミニウムとの反応により、水素と塩化アルミニウムになり、水素イオン濃度は最終的に中和される。また塩化アルミニウムは人畜無害であり、環境への負荷はない。
【０００９】
実験では塩化水素濃度を０．２８％で、反応時間が２日（４８時間）で脱塩素分解が完了していることから、実質的にも反応薬品投入時以外は、人件費は管理者以外必要とせず、総合的に速く、経済的かつ安全に浄化が可能となる。
【００１０】
【化１】
2004195163.tif 000002
（式中Ｒはアルカン、アルケン、アルキン、芳香族などの炭化水素。Ｈは水素。Ｘはハロゲン。反応金属はアルミニウム）
(57)【要約】      （修正有）【課題】カッターナイフを用いて定規に合わせて切断作業する際、従来のカッターナイフでは刃先が当り定規を削ることがある。【解決手段】本発明はカッターナイフを定規に合わせて切断作業する際、カッター刃１と同一線上にあるガイド用段差２を設けることにより、定規７がこのガイド段２より厚い場合には、定規側の平らなガイドの底面５が定規７に面で接し、定規７がガイド用段差２より薄い場合には、反定規側の平らなガイドの底面６が被切断物８に面で接するので、定規７を削ることなく定規の際に沿った切断を行うことが出来る。【選択図】図１
2004195167.tif 000002
【特許請求の範囲】
【請求項１】
カッターナイフを用いて定規に合わせて切断作業する際に、定規を削らずに、定規の際通りに切断出来ることを特徴とするガイド用段差付カッターナイフ。
【請求項２】
ガイドの底面が切断物に対して平行になることにより、切断面が直角になることを特徴とする請求項１記載のガイド用段差付カッターナイフ。
【発明の詳細な説明】
【０００１】
【発明の属する技術分野】
この発明は、手元が安定して使えるカッターナイフに関する。
【０００２】
【従来の技術】
カッターナイフを用いて定規の際通りに真っすぐ切ろうとする際、従来のカッターナイフでは刃先が当り定規を削ることがある。
【０００３】
【発明が解決しようとする課題】
この発明は、カッターナイフを定規に合わせて切断作業する際、定規を削らずに、定規の際通りに切断出来るカッターナイフを提供することを課題とする。
【０００４】
【課題を解決するための手段】
以上の課題を解決するために、請求項１の発明は従来のカッターナイフの本体先端に、カッター刃と同一線上にガイド用段差を付けたことを特徴とするカッターナイフである。また、請求項２の発明は、ガイドの底面が切断物に対して平行になることにより、切断面が直角になることを特徴とする請求項１記載のガイド用段差付カッターナイフである。
【０００５】
【発明の実施の形態】
図１はこの発明のカッターナイフの構造を示す斜視図である。このガイド用段差付きカッターナイフは、本体４の先端のカッター刃１と同一線上にあるガイド用段差２を定規に沿わせながら切断する。ガイド底面５は、本体４と鋭角の角度３を成している。
図２は、この発明の一実施形態を示す側面図である。
図３は、図２のａ〜ｂ間の断面図である。
定規７がガイド段差２より厚い場合は、定規側の平らなガイドの底面５が定規７に面で接する。定規７がガイド段差２より薄い場合は、反定規側の平らなガイドの底面６が切断物８に面で接する。いずれの場合でも、ガイド段差２を定規に沿わせながら切断する。
【０００６】
「実施形態の効果」
この実施形態によれば、ガイド段差２が定規７に対して線で接し、ガイドの底面が定規７あるいは切断物８に対して面で接するので、ガイド段差２と同一線上にあるカッター刃１が定規７を傷付けることなく真っすぐ、切断物８を直角に切断出来る。またカッター刃１の出を調整することにより、切り込み深さを正確に設定出来る。
【０００７】
「他の実施形態」
ガイド段差は、カッター刃と同一線上にあるならば、カッター刃の前後どちらにあっても良い。
【０００８】
【発明の効果】
以上説明したように、この発明によれば、カッターナイフを定規に合わせて切断作業する際、定規を削らずに、定規の際通りに切断出来るようになる。
【０００９】
また、ガイドの段差が定規に当たっているので、カッター刃が定規を越えて、定規を押さえている手を傷つけることもない。
【図面の簡単な説明】
【図１】この発明の構造を示す斜視図である。
【図２】この発明の一実施形態の側面図である。
【図３】図２のａ〜ｂ間の断面図を示す。
【符号の説明】
１  カッター刃                    ２  ガイド用段差
３  鋭角な角度                    ４  カッターナイフ本体
５  定規側ガイド底                ６  反定規側ガイド底
７  定規                          ８  切断物
【図１】
2004195167.tif 000003
【図２】
2004195167.tif 000004
【図３】
2004195167.tif 000005
(57)【要約】［課題］  技術を要するため、ネイリストにやってもらわないと自分では難しかった立体のネイルアートやスカルプを、簡単に出来るようにし、かつ何時間もかかってしまうところを、短時間で出来るようにする。［解決手段］    本発明は、土台のホーム１と元から形の彫りこまれた型２のセットで、固定時に爪５の部分が開いている形のホーム１を指先に固定する。次に、スカルプ用のミクスチャーやジェルなどを型２に入れ、おおいかぶさる様にホーム１と型２をあらかじめ傷をつけた爪５に挿みこむ。そのまま時間を置きミクスチャーやジェルなどが固まったところで型２をホーム１からはずす。この事により型２の形に固まったミクスチャーやジェルなどが、爪５の表面にくっついている状態になる。【選択図】  図１
2004195170.tif 000002
【特許請求の範囲】
【請求項１】
指に土台となるホームを爪の部分が空くように固定する。次にスカルプ用のミクスチャーやジェルなどを型に入れ、爪におおいかぶさるようにホームと型をくっつける。そしてそのまま時間を置き、ミクスチャーやジェルなどが固まったところで型を、ホームからはずす。型をホームからはずす事により型の形に固まったミクスチャーやジェルなどが、爪の表面にくつついている状態になる。以上の事により誰でも簡単に立体などのスカルプを楽しむ事が出来るホームと型のセットである。
【発明の詳細な説明】
【０００１】
【発明の属する技術分野】
本発明は、ホームと型のセットで、爪をホームと型の間に挟む事により、あらかじめ型に入れたスカルプ用のミクスチャーやジェルなどが、爪にくっつく。次に型をはずすと爪の表面に型の形に形成された模様が現れるように出来るものである。又、本発明は、型を換える事により簡単に、いろいろなネイルアートが楽しめる。
【０００２】
【従来の技術】
従来、ネイルアートは技術がいる為、店などでネイリストに高いお金を払って、スカルプや絵などを描いてもらうものであり、自分では、簡単なネイルアートしか出来ない。その原因のひとつとして、スカルプ用のミクスチャーやジェルなどは、固まるのが早く、扱うのが困難なためである。又、ネイルアートのひとつとして、ネイルチップや機械で絵を描く技術などもあるが、自分の爪をベースにミクスチャーやジェルなどを重ねぬっていく技術のスカルプや、立体のネイルアートは、やはりネイリストに頼まなければならないのが現実である。又、ネイリストにスカルプなどをしてもらったとしても爪は、日にちがたつと伸びるので、定期的に店に行かなければならない。これでは、金銭的にも肉体的にも一般の人は、困難だといえる。さらに付け加えるとネイリストでも、手作業で爪の表面に少しずつ絵や形を作っていくため、何時間も時間がかかってしまう。以上の事から、立体形やスカルプなどの複雑なネイルアートは、自分で簡単に出来る手段がないと言いきれる。
【０００３】
【発明が解決しようとする課題】
本発明は従来、スカルプや立体のネイルアートを、自分でやるのはとても難しいという欠点と、ネイリストにやってもらうと何時間もかかり、高いお金を取られさらに、手入れをしてもらうために定期的に店に行かなければならないという欠点とをふまえ、自分でスカルプや、立体のネイルアートを短時間でかつ簡単に出来るということを課題として研究を進めた。
【０００４】
【課題を解決するための手段】
本発明は、土台のホームと、元から形の彫り込まれた型のセットである。装着時に爪の部分があいている形のホームを、指先に固定する。次に、スカルプ用のミクスチャーやジェルなどを型に入れ、おおいかぶさる様にホームと型を、あらかじめ傷をつけた爪に挿みこむ。そして、型をホームからはずす事により、型の形に固まったミクスチャーやジェルなどが爪の表面にくっついている状態になる。型は、元から形が彫り込まれている為、難しい立体のスカルプなども、誰でも簡単に出来る様になっている。この事により、少しずつ重ね塗りしなくてすみ、何時間も短く出来る。又、型を換える事により、いろいろなネイルアートが楽しめ、かつ自分で出来るので金銭的にも安く済む。
【０００５】
【発明の実施の形態】
本発明は、簡単にスカルプや立体のネイルアートを楽しめ、かつネイリストにやってもらうよりも、大幅に時間とお金が節約できるホームと型のセットである。又、本発明は、型を交換することにより、いろいろな形のネイルアートも楽しめるもので、それを図面について説明すると、指につけた時に爪５の部分だけが開いている土台のホーム１と、あらかじめ模様などが彫りこまれている型２から形成されており型２は、爪５をはさんでホーム１にくっ付く様になっている。くっ付き方については、型２の凸３を、ホーム１の凹４にはめ込む。さらに素材について説明すると、スカルプ用のミクスチャーやジェルなどは、でこぼこしたとこには付くが、表面が平らなセロハンやシールにはくっ付きにくい性質がある。そのことをふまえホーム１や型２の表面は、平らでつるつるした素材を使う。
【０００６】
【発明の効果】
本発明は、以上の様な構成なので、ネイリストの様な難しい技術も要さずに簡単にスカルプが楽しめる。又、あらかじめ型に形を彫り込んでいる為、スカルプ本来の少しずつ塗り重ねていく事もしなくてすみ、短時間で高度なスカルプができる。さらに、型を換えるだけでたくさんの形の違ったスカルプが楽しめる。この事により、店に何回も足を運ぶ必要がなくなり、かつ金銭的にも大幅に低価格ですむ。又、商品化され市場に出回れば、時間が無い人やお金がない人、子供や年輩層の人でもスカルプを自宅で簡単に楽しめる。さらに、近年からオシャレとしてネイルアートを楽しむ男性が急激に増えているが、ほとんどの男性は、店に入り難いというのが現実である。しかし本発明が有ればこの様な心配も無くなる。
【図面の簡単な説明】
【図１】ホームと型の断面図である。
【図２】ホームと型の側面図である。
【図３】型をはずした後の平面図である。
【図４】型をはずした後の側面図である。
【図５】ホームの正面図である。
【符号の説明】
１  ホーム
２  型
３  凸
４  凹
５  爪
【図１】
2004195170.tif 000003
【図２】
2004195170.tif 000004
【図３】
2004195170.tif 000005
【図４】
2004195170.tif 000006
【図５】
2004195170.tif 000007
(57)【要約】【課題】チタン又はチタン合金製のツバを有するピアス軸においてツバを軸に固着する構造を提供する。【解決手段】装飾品に明けられた穴に先端部８を挿入接着する方法を可能とするために段付軸１０に段付ツバ１１を挿入し上下より型で加圧することによりツバを変形させ軸に固着させた。同時に耳に接する部分は隙間無くなめらかな形状にすることを可能とした。【選択図】      図１
2004195161.tif 000002
【特許請求の範囲】
【請求項１】
皿状のチタン又はチタン合金製のツバがチタン又はチタン合金製の軸に食い込む形で成型されたことを特長とするチタン又はチタン合金製ピアス。
【請求項２】
先端部につけた接着剤が本体の方に流出しない構造としたことを特長とするチタン又はチタン合金製ピアス。
【請求項３】
ツバと本体の突き合せ部分にゴミや異物がたまりにくい構造としたことを特長とするチタン又はチタン合金製ピアス。
【発明の詳細な説明】
【０００１】
【発明の属する技術分野】
本発明はチタン又はチタン合金製ピアスに関するものである。
【０００２】
【従来の技術】
従来のピアス軸は、通常材質は１８金が用いられ安価なものは銀などが用いられる。
真珠や丸い宝石などを付けるためのピアス軸は軸の中程に皿状の部材を付けているのが普通である。
この皿状の部材は、真珠に穴を明け接着剤を付けて軸に固定する際に接着剤が流れ出さない様にする目的で付けられている。
１８金等の貴金属製のピアス軸は１８金等の展性の良さを利用して軸を両側からプレス加工又はシゴキ加工を行い皿状のものを形成し次に外形の不整いの部をへら絞りの要領できれいに内側に倒し込んで外形をきれいに成形して仕上げるものである。
【発明が解決しようとする課題】
【０００３】
金属アレルギーが少ないチタン又はチタン合金をピアス軸に使うことを考えたとき従来のプレス加工又はシゴキ加工で皿状のものを形成することは出来ない。
チタン及びチタン合金は１８金より硬く脆い性質があるからである。
低アレルギーのチタン又はチタン合金をピアス軸に使えるようにしたのが本発明の構造である。
【課題を解決するための手段】
【０００４】
段付の軸と中心部に穴が明いた段付円板を用意する。この部材はあらかじめバレル研磨等により表面をきれいにしておく。
次に円板を軸の段付部分まで挿入し上下からプレスで力を加える。
この時プレスの型を皿状に加工しておき凸側の上型は曲率半径を大きくし凹側の下型は曲率半径を小さ目にとる。
又下型の軸に接する部分は僅かにＲ面取をしておく。
以上の様な型でプレスすることにより円板が皿状に変形すると同時に穴の内径が変形し軸に固着できる。軸と皿との間の隙間が無くなり接着剤が流出することがない。
又下型のＲ面取により軸と皿との境がＲ状になめらかになりゴミなどが溜まることもない。
【０００５】
【発明の実施の形態】
以下本発明に係わるピアス軸の実施の形態を図面に基づいて詳細に説明する。なお以下の説明では本発明の構造を説明するに先立ち同様な構造の従来品について説明する。
【０００６】
図６は従来品の代表的な実施形態である。
ピアス軸１は先端部２、ツバ３、本体４で構成され真珠や宝石などの飾り５に穴あけされた６に先端部２が挿入され接着剤で固定される。その時接着剤がはみ出して本体４の方に流れ出さない様にツバ３でくい止められる。
【０００７】
従来の１８金または１４金で製造されるピアス軸は以下のような製造工程で加工される。
まず本体４の外径より少し太い棒材を用意し軸方向にプレス加工を行いツバを張り出させる。ツバの外周には耳状のものが出るためこれをヘラ絞りの要領でツバの皿状の内側へ曲げ込んで完成する。
【０００８】
しかし１８金や１４金に金属アレルギー反応を示す人が多く見られるようになり低アレルギー素材であるチタン又はチタン合金を用いたピアスへの要望が強くなっている。ところがチタン及びチタン合金は展性が低く加工が難しいため新しい構造や加工法が必要となってきた。
【０００９】
図１は本発明の構造である。これに基づいて詳細に説明する。
ピアス７は、先端部８と本体１０は一体で出来ており、ツバ９は別体で８と１０の境に固着されている。
次に本発明の加工方法について説明する。
【００１０】
図３はチタン又はチタン合金製の軸である。寸法精度を要するため切削加工による。先端部の外径は０．８５±０．００５ｍｍとする。本体の外径は０．９０±０．００５ｍｍとする。
図４はツバ９の原料１１の平面図と断面図である。チタン又はチタン合金製であり切削加工による。厚みを隆起部で０．５±０．０１ｍｍ、同じくツバ部で０．３±０．０１ｍｍとし、外径を４±０．０５ｍｍとし、隆起部の径を１．２±０．０１ｍｍとし、穴径を０．８６±０．００５ｍｍで加工する。
【００１１】
図２は軸の段差部１２にツバ１１を挿入して押し当てた状態である。
この状態のまま上下の型によりプレスしツバ原料を皿状に変形させると同時に図５に示す様にツバ１１の内径部１４を先端部８に食い込ませる。
これによりツバの変形と軸の固着を同時に行うものである。又ツバ先端１６も薄く滑らかにする。
又下型にＲ面取をすることによりツバ１５の部分が隙間なく軸と接続する様になる。これによりゴミや異物が溜まる事により使用中に皮膚に悪影響を及ぼす心配がなくなる。
【００１２】
以上の加工方法によれば接着剤を先端部８に付けても本体１０の方に流れ出す心配はないしツバ１１が使用中に緩んで取れることもない。
１４が８に食い込む量は０．０１ｍｍ、１２が１５に食い込む量は０．０２〜０．０５ｍｍが理想である
【００１３】
【発明の効果】
本発明によれば金属アレルギーに敏感な人でも安心して使えるチタン又はチタン合金製ピアスを安価に作ることが出来る。
【図面の簡単な説明】
【図１】本発明の実施の形態のピアス軸の平面図である。
【図２】本発明の加工途中の軸をツバに挿入した状態の平面図である。
【図３】本発明の軸の切削加工上がりの平面図である。
【図４】本発明のツバの加工上がりの平面図である。
【図５】本発明のプレス加工後のツバ部の詳細な断面図である。
【図６】従来のピアス軸の一例である。
【符号の説明】
１      従来のツバ付ピアス軸
２      ピアス軸の先端部
３      ツバ部
４      ピアスの軸本体
５      真珠又は宝石等のピアスに付ける飾り
６      ピアス軸に接着固定するために明けた穴
７      本発明のチタン又はチタン合金製ピアス軸
８      チタン又はチタン合金製ピアス軸の先端部
９      チタン又はチタン合金製のツバ部
１０    チタン又はチタン合金製ピアス軸本体
１１    チタン又はチタン合金製ツバ部材
１２    チタン又はチタン合金製軸段差部
１３    チタン又はチタン合金製ツバの穴
１４    チタン又はチタン合金製ツバの角
１５    軸段差のツバへの食込部
１６    ツバ周縁部
【図１】
2004195161.tif 000003
【図２】
2004195161.tif 000004
【図３】
2004195161.tif 000005
【図４】
2004195161.tif 000006
【図５】
2004195161.tif 000007
【図６】
2004195161.tif 000008
(57)【要約】【目的】配管塗装というかなり時間を有しながら広い作業場所でしかできなかった塗装作業を短時間で多量にしかも作業場所を省スペースで可能にする。【構成】支柱１とベースプレート２からなるスタンドを立設し、支柱１に４の回転式固定用グリップと７ａ、７ｂの引っ掛け用の突出しボルトを取付け、その２種類の先に管先を支持する。回転式固定用グリップを回転させることにより被塗装物もいっしょに廻るので塗装物の裏側の塗装も可能になる。支柱を複数台、組み合わせることで多量の塗装物の塗装も省スペースで作業可能になる。ベースプレートと支柱はボルトで着脱できるので運搬、収納にも便利。【選択図】　　　　図１
2004141841.tif 000002
【特許請求の範囲】
【請求項１】
支柱は角パイプと鉄板のベースプレートで自立しており、被塗装物を挟んで固定する回転式固定用グリップと引っ掛け用の突出しボルトが複数ついている。支持する被塗装物を回転させることができるため、容易に被塗装物の全体塗装が一度でできる塗装用スタンド
【請求項２】
自立式の支柱は複数台使用することにより連続して被塗装物が支持できるため、多量の塗装物がしかも省スペースの作業場所で塗装可能になる。
【請求項３】
ベースプレートと支柱はボルト締めで着脱可能なので運搬または収納にも便利
【発明の詳細な説明】
【０００１】
【発明の属する技術分野】
本発明は、配管類及び長物鋼材類の塗装を短時間で効率よくできるようにした塗装用スタンドである。また、本発明は複数台、使用するにあたり連続して多量の被塗装物の支持塗装をするもの
【０００２】
【従来の技術】従来の配管類の塗装は配管施工後に塗装を行うことが多く、その場合、ほとんどのケースで配管支持物、障害物等が障害になり完全に塗装できず、また、現場状況によっては塗装が不可能になる。
上記、状況を考慮して配管施工前に塗装をしておくという場合もあるが、管の形状が丸いため、非常に置き場所と固定に困り、また、管の反対側は表側の塗装が乾かないと塗れないので全部塗り終えるまでにかなり時間がかかり、仕上がりもあまり良くない。
【０００３】
【発明が解決しようとする課題】
このように、配管類及び長物鋼材類を一度に、しかも多量の塗装を容易に行うことができ、また、省スペースで行え、効率よく塗装品質の向上、塗装時間短縮ができることを目的とする。
【０００４】
【課題を解決するための手段】
本発明は課題を解決するために、被塗装物を容易に支持、固定ができ、しかも多量の塗装も短時間ででき、更に広い塗装場所を必要とせずにできるようにしたもので、ベースプレートに支柱を取付け、立設し支柱には被塗装物を回転させながら固定できるグリップと引っ掛け用の突出しボルトを複数つけたものである。
【０００５】
自立式の支柱は角パイプとそれを固定するベースプレートからなり、角パイプには回転式固定用グリップがついておりグリップは回転できるボルトで固定されている。グリップはスプリングで開閉できるのでグリップ先に被塗装物を挟んで固定し、もう一方の支柱側の引っ掛け用の突出しボルトに配管の管先を掛けて２本以上の支柱で固定する。
【０００７】
ベースプレートと支柱はボルトで着脱可能。ベースプレートには本体の固定を容易にできるようにアンカー止め用の開口を設けてある。回転式固定用グリップは３６０度の回転ができ、回転用の取っ手には１８０度、回転するごとにロックできるピンがついているので、被塗装物を回転させて固定ができる。
【０００６】
支柱は複数台を組み合わせることにより連続して被塗装物の支持、固定ができるので多量の塗装物の塗装が可能になり、また、複数台の支柱の回転式固定グリップと引っ掛け用の突出しボルトを使い分けることにより、形状が配管以外の物でも塗装が可能になる。
【０００７】
【発明の実施の形態】
発明の実施の形態を実施例にもとづき図面を参照して説明する。
図１は本発明の主な使用方法を正面図にしたものである。配管を途中省略してある。引っ掛け用ボルトに管先を掛けてから、もう一方の回転式固定用グリップで反対側の管先を挟んで固定する。
【０００８】
図２は本体の平面図と、回転式固定用グリップ及び引っ掛け用突出しボルトの正面、断面詳細図である。
１は支柱の角パイプで２のベースプレートに固定する。ベースプレートには作業時の精度を上げるため本体が動かないように３のアンカー止め用の開口を設けてあり、状況判断でその都度、本体を固定する。
４の回転式固定用グリップは５のボルトにナット止めで装着し、このボルトを回転させることでグリップに挟む被塗装物もいっしょに回転させることができる。その際、５のボルトが不安定になり塗装中に動いたりするので、６のロックピンで５のボルトを固定する。あらかじめ支柱１には５のボルト、１本に対し上下、１ヶ所ずつ開口を設けておき、そこに６のロックピンを挿入することにより３６０度の回転を２分割にできるので被塗装物の反対側も５のボルトを廻すことで塗装することができる。４の回転式固定用グリップと相対して、７ａ，７ｂは突出しボルトだけで、それに配管の管先に挿入して引っ掛ける。突出しボルトは支柱１の角パイプに溶接とする
【０００９】
図３はベースプレートと支柱の着脱方法の断面図である。９は１の支柱用の土台でその角パイプ内に支柱を入れ込み、１０のボルトをまわして支柱をボルトが押し付けるように締め上げる。
【発明の効果】
本発明は、以上説明したように構成されているので、以下に記載されるような効果を奏する。
【００１０】
自立式の支柱に回転式固定用グリップ及び引っ掛け用の突出しボルトを取付けることにより、被塗装物を多量にしかも容易に塗装が可能になる。
【００１１】
回転式固定グリップを回転させることにより、被塗装物を廻すことができ全体塗装が短時間でできる。
【００１２】
さらに支柱は複数台、使用することで被塗装物が連続で塗装できるため、作業場所が省スペースで済む。
【００１３】
また、支柱についている回転式固定用グリップと引っ掛け用の突出しボルトを組み合わせることにより、形状が配管以外の物でも塗装が可能になる。
【００１４】
ベースプレートと支柱はボルトで着脱可能なので運搬、収納に便利。
【図面の簡単な説明】
【図１】本発明の主な使用方法を記した正面図である。
【図２】塗装用スタンドの平面図、正面図、断面図の詳細図である。
【図３】ベースプレートと支柱の着脱方法を記した断面図である
【符号の説明】
１　　支柱
２　　ベースプレート
３　　アンカー止め用開口
４　　回転式固定用グリップ
５　　回転式固定用グリップ接続ボルト
６　　ロックピン
７ａ　引っ掛け用突出しボルト
７ｂ　引っ掛け用突出しボルト
８　　ロックピン挿入用開口
９　　支柱着脱用土台
１０　支柱着脱用ボルト
【図１】
2004141841.tif 000003
【図２】
2004141841.tif 000004
【図３】
2004141841.tif 000005
(57)【要約】［課題］本発明は、従来の問題点等を解決するため、各種焼却で発生する排煙を煙水及び液状煤塵に変換すると共に、地球温暖化の原因の二酸化炭素（ＣＯ２）やダイオキシン等の有害物質を含む排煙を効果的に除去することを目的とする。［解決手段］煙水タンク１に、撹拌機２及び回転孔付排煙筒３と液状煤塵かき寄せ機４から成る撹拌装置を設ける。さらに、煙水タンク１の上部に、流入煙１０を煙水化するための散水供給管５とスプレーノズル６を設けると共に、下部にフィルター１４、煙水出口管１５及び液状煤塵出口管１６、シールユニット１７を設ける手段を講じたものである。【選択図】　　　　　図２
2004141839.tif 000002
【特許請求の範囲】
【請求項１】
煙水タンク１に、撹拌機２及び回転孔付排煙筒３と液状煤塵かき寄せ機４から成る撹拌装置を設ける。さらに、煙水タンク１の上部に流入煙１０を煙水化するための散水供給管５とスプレーノズル６を設けると共に、下部にフィルター１４、煙水出口管１５及び液状煤塵出口管１６、シールユニット１７を設ける排煙除去装置。
【発明の詳細な説明】
【０００１】［発明の属する技術分野］
本発明は、プラント設備や工場等での化石燃料の焼却で発生する、地球温暖化の原因である二酸化炭素（ＣＯ２）を含む排煙や、廃棄物処理設備での焼却で最終処理後に残存するダイオキシン等の有害物質を含む排煙を除去する装置に関するものである。
【０００２】［従来の技術］
従来、各種焼却で発生する排煙に対しては、排煙を排出する煙突を高くして大気中に飛散させる方法等が一般的である。しかし、地球温暖化の原因の二酸化炭素（ＣＯ２）やダイオキシン等の有害物質の除去が困難であることから、地球環境、地域環境への影響も大きく、多くの問題点を有している。
【０００３】［発明が解決しようとする課題］
本発明は、従来の問題点等を解決するため、各種焼却で発生する排煙を煙水及び液状煤塵に変換すると共に、地球温暖化の原因の二酸化炭素（ＣＯ２）やダイオキシン等の有害物質を含む排煙を効果的に除去することを目的とする。
【０００４】［課題を解決するための手段］
煙水タンク１に、撹拌機２及び回転孔付排煙筒３と液状煤塵かき寄せ機４から成る撹拌装置を設ける。さらに、煙水タンク１の上部に、流入煙１０を煙水化するための散水供給管５とスプレーノズル６を設けると共に、下部にフィルター１４、煙水出口管１５及び液状煤塵出口管１６、シールユニット１７を設ける手段を講じたものである。
【０００５】［発明実施の形態］
以下、図面に示す実施の形態について説明する。
【０００６】
［構成］
煙水タンク１に、撹拌機２及び回転孔付排煙筒３と液状煤塵かき寄せ機４から成る撹拌装置を設ける。さらに、煙水タンク１の上部に流入煙１０を煙水化するための散水供給管５とスプレーノズル６を設けると共に、下部にフィルター１４、煙水出口管１５及び液状煤塵出口管１６、シールユニット１７を設ける構成にする。
【０００７】［実施例］
上昇煙９を排出する煙突２０の出口上部に、本発明の排煙除去装置（以下、本装置Ａ）を取り付ける。煙突２０から排出して上昇する上昇煙９は、本装置Ａの回転孔付排煙筒３の孔から煙水タンク１に流入する。流入した流入煙１０に対し、散水供給管５からのスプレーノズル６で水が流入煙１０に噴霧され、流入煙１０は煙水化して煙水タンク１に貯えられる。貯えられた煙水１１が一定量に達すると煙水１１は、オーバーフローして煙水上澄水１２として、フィルター１４を通過して煙水出口管１５より排出される。また、煙水１１の中の液状煤塵１３は、液状煤塵かき寄せ機４でかき寄せられ、液状煤塵出口管１６より排出される。
【図面の簡単な説明】
【図１】排煙除去装置の平面図である。
【図２】排煙除去装置の断面図である。
【符号の説明】
Ａ・・・・・本装置
１・・・・・煙水タンク
２・・・・・撹拌機
３・・・・・回転孔付排煙筒
４・・・・・液状煤塵かき寄せ機
５・・・・・散水供給管
６・・・・・スプレーノズル
７・・・・・接続排煙筒
８・・・・・接続フランジ
９・・・・・上昇煙
１０・・・・・流入煙
１１・・・・・煙水
１２・・・・・煙水上澄水
１３・・・・・液状煤塵
１４・・・・・フィルター
１５・・・・・煙水出口管
１６・・・・・液状煤塵出口管
１７・・・・・シールユニット
１８・・・・・サポート
１９・・・・・外装円筒体
２０・・・・・煙突
【図１】
2004141839.tif 000003
【図２】
2004141839.tif 000004
(57)【要約】【課題】鞄を開いた状態ですぐに区分け収納を可能にし、又その袋が逢着固定してある為、整然と収納することを可能とする。【解決手段】この発明は（１０）（１１）（１２）の伸縮自在なマチを（５）（５ａ）（５ｂ）（５ｃ）の仕切り板に連結逢着する事により、区分け収納場所を提供する。【選択図】　図３
2004141322.tif 000002
【特許請求の範囲】
【請求項１】
鞄の内側に伸縮自在で、複数（５）（５ａ）（５ｂ）（５ｃ）の収納可能な袋を作成し、それを（１）の内側に（４）を逢着し、鞄の内側を（５）（５ａ）（５ｂ）（５ｃ）のように、区分け収納を可能にした事を特徴とする鞄。
【発明の詳細な説明】
【発明に属する技術分野】
この発明は、鞄を開いた時に、中に入れる収納物を整然と区分けして入れることを可能にした鞄である。
【従来の技術】
（１）
従来の鞄は、開いた時に鞄の大きさそのものが収納場所という事になり、そのままでは用途や種類別に分けて入れることが出来ず、分けて入れるためには、別の収納袋に入れてから，鞄本体の中に収納するという方法でしか実現できず、たとえそれを収納したとしても、袋どうしが乱雑な状態でしか収納することが出来ず、また収納袋を別に用意しなければならず、利便性に欠けるものであった。
【発明が解決しようとする課題】
（２）
そこでこの発明は上記の課題を解決するものであり、区分けの為の袋等が無くても、鞄の内側に伸縮自在な複数の区分け可能な袋をあらかじめ逢着しておく事により、鞄を開いた状態ですぐに区分け収納を可能にし、又その袋が逢着固定してある為、整然と収納することを可能にした物である。
（３）
また、この区分け収納可能な袋は伸縮自在な為、区分けに必要な分だけ利用でき、利用しない部分は縮めて小さくすることが出来、残りの収納場所を広くする事を可能にした物である。
【課題を解決する為の手段】
（４）
この発明は（１０）（１１）（１２）の伸縮自在なマチを（５）（５ａ）（５ｂ）（５ｃ）の仕切り板に連結逢着する事により、区分け収納場所を提供する物である．
（５）
また、この発明は（５）（５ａ）（５ｂ）（５ｃ）に心材を入れることにより、形状を保つようにした物である。
（６）
また、この伸縮自在な収納物の（４）の部分を（１）の鞄の内側の横に、または（４ａ）の部分を（１）の内側底部分のどちらかに逢着する事により、固定され、整然と収納することを可能にしている．。
（７）
また、この発明は（１０）（１１）（１２）に、さらに連結して多数にしても、又逆に少数にしてもよいように、自由に作ることが出来る。
（８）
また、区分けする必要が無い時は、（１０）（１１）（１２）全てを縮めて片側に寄せ、鞄全体を一つの収納場所としても使用できる事を可能にしている。
（９）
また、区分けして収納する物の数だけ利用でき、使用しない部分は縮めておく事を可能にしている。
【発明の効果】
この発明は鞄の中にあらかじめ伸縮自在で、区分け収納出来る袋を逢着しておく事により、鞄を開いた状態ですぐに、収納物を用途や種類別に区分けし、整然と入れることが出来、収納物の出し入れが容易に出来、乱雑になり易い鞄の中の収納状態を一新させ、利便性を格段に向上させた。また、区分け収納する数により、使用しない部分は縮めておく事が出来る為、利用するしないに係らず、利便性のうえで何の不便も感じさせない物である。
【図面の簡単な説明】
【図１】この発明の鞄を内包した時の実施形態を示す斜視図である。
【図２】この発明の鞄の中に逢着する伸縮自在になる袋の形態を示す斜視図である。
【図３】この発明の伸縮自在になる袋を鞄の横部分に逢着した時の形態を示す斜視図である。
【図４】この発明の伸縮自在になる袋を、一個だけ利用し、他を縮めた時の形態を示す斜視図である。
【図５】この発明の伸縮自在になる袋を鞄の横部分に逢着し、なおかつ使用しない時の形態を示す斜視図で有る。
【図６】この発明の伸縮自在になる袋を鞄の底部分に逢着し、なおかつ使用しない時の形態を示す斜視図である。
【図７】この発明の伸縮自在になる袋を、鞄の横に逢着して使用した時の形態を示す斜視図である。
【符号の説明】
１　　　伸縮自在区分け袋を逢着する部分
２　　　鞄の天部分
３　　　鞄の横部分
４　　　鞄本体内側の横部分に逢着する部分
４ａ　　鞄本体内側の底部分に逢着する部分
５　　　伸縮自在区分け袋の形状を保つ為の芯材
５ａ　　伸縮自在区分け袋の形態を保つ為の芯材
５ｂ　　伸縮自在区分け袋の形態を保つ為の芯材
５ｃ　　伸縮自在区分け袋の形態を保つ為の芯材
６　　　芯材の端を巻くテープ
７　　　芯材の端を巻くテープ
８　　　芯材の端を巻くテープ
９　　　芯材の端を巻くテープ
１０　　伸縮自在区分け袋の底マチ部分
１１　　伸縮自在区分け袋の底マチ部分
１２　　伸縮自在区分け袋の底マチ部分
【図１】
2004141322.tif 000003
【図２】
2004141322.tif 000004
【図３】
2004141322.tif 000005
【図４】
2004141322.tif 000006
【図５】
2004141322.tif 000007
【図６】
2004141322.tif 000008
【図７】
2004141322.tif 000009